(57)【要約】【課題】制御基板を電源部に近づけて配置できる、画像形成装置を提供する。【解決手段】プリンタには、電源部３１から排出空間５３に至る流路５１が形成されている。電源部３１の発熱による熱気は、流路５１を流路出口５４に向けて上昇する。そして、流路出口５４が排出空間５３に臨んでいるので、記録ヘッド２１の往復動による気流が発生すると、その気流により、流路５１から排出空間５３に熱気が引き込まれて、熱気が流路５１から排出空間５３に排出される。【選択図】図３
2020163750.tif 000002
【特許請求の範囲】
【請求項１】
筐体と、
前記筐体内に設けられ、記録ヘッドを所定方向に往復動させて、シートに画像を形成する画像形成部と、
前記筐体内の底部の側面側に設けられる電源部と、
前記筐体内で前記電源部の上方に設けられる支持部と、
前記支持部に支持される制御基板と、を備え、
前記支持部には、
前記電源部から前記画像形成部がシートを排出する排出空間に至る流路が形成されている、
画像形成装置。
【請求項２】
請求項１に記載の画像形成装置であって、
前記制御基板は、上下方向に延びて設けられている、
画像形成装置。
【請求項３】
請求項１または２に記載の画像形成装置であって、
前記電源部と前記制御基板との間に、前記電源部と前記制御基板とを上下方向に隔てる隔壁が設けられている、
画像形成装置。
【請求項４】
請求項１〜３のいずれか一項に記載の画像形成装置であって、
前記流路を前記排出空間に開放する開口は、前記制御基板に対して前記流路を挟んで上下方向と直交する方向に対向する位置に形成されている、
画像形成装置。
【請求項５】
請求項１〜４のいずれか一項に記載の画像形成装置であって、
前記記録ヘッドに対して上下方向に間隔を空けて対向し、前記記録ヘッドにより画像が記録されるシートを支持するプラテン、を備え、
前記流路を前記排出空間に開放する開口は、前記記録ヘッドと前記プラテンとの間よりも上側の位置に形成されている、
画像形成装置。
【請求項６】
請求項１〜４のいずれか一項に記載の画像形成装置であって、
前記記録ヘッドに対して上下方向に間隔を空けて対向し、前記記録ヘッドにより画像が記録されるシートを支持するプラテン、を備え、
前記流路を前記排出空間に開放する開口は、前記記録ヘッドと前記プラテンとの間よりも下側の位置に形成されている、
画像形成装置。
【発明の詳細な説明】
【技術分野】
【０００１】
本発明は、プリンタなどの画像形成装置に関する。
【背景技術】
【０００２】
プリンタなどの画像形成装置においては、電源部の発熱量の増大の問題があり、電源部の放熱対策が求められている。
【０００３】
たとえば、特許文献１では、電源基板を装置本体の側面に沿うように配置し、その電源基板に対向する側面に排熱口を形成して、排熱口を介して装置本体内の熱を排出する構成が提案されている。
【先行技術文献】
【特許文献】
【０００４】
【特許文献１】特開２００４−１１７５０８号公報
【発明の概要】
【発明が解決しようとする課題】
【０００５】
この提案に係る構成では、電源基板から離れた位置に、制御基板が電源基板に沿うように配置されている。そのため、制御基板と電源基板との距離が長い。ノイズの問題などを考慮すると、制御基板と電源基板を備える電源部とを近づけることが好ましいが、制御基板を電源部に近づけるには、電源部からの発熱に対処する必要がある。
【０００６】
本発明の目的は、制御基板を電源部に近づけて配置できる、画像形成装置を提供することである。
【課題を解決するための手段】
【０００７】
前記の目的を達成するため、本発明に係る画像形成装置は、筐体と、筐体内に設けられ、記録ヘッドを所定方向に往復動させて、シートに画像を形成する画像形成部と、筐体内の底部の側面側に設けられる電源部と、筐体内で電源部の上方に設けられる支持部と、支持部に支持される制御基板と、を備え、支持部には、電源部から画像形成部がシートを排出する排出空間に至る流路が形成されている。
【０００８】
この構成によれば、電源部から排出空間に至る流路が形成されているので、電源部の発熱による熱気が電源部から流路を流れて排出空間に排出される。これにより、電源部からの放熱を促進させることができ、電源部に熱がこもることを抑制できる。よって、制御基板が電源部に近づけて配置されても、電源部からの発熱が制御基板に悪影響を及ぼすことを抑制できる。しかも、流路が制御基板を支持する支持部に形成されることにより、流路を設けながら、制御基板を電源部に近づけて配置することができ、制御基板と電源部とをスペース効率よく配置することができる。
【発明の効果】
【０００９】
本発明によれば、制御部を電源部に近づけて配置でき、制御基板が電源部に近づけて配置されても、電源部からの発熱が制御基板に悪影響を及ぼすことを抑制できる。
【図面の簡単な説明】
【００１０】
【図１】本発明の実施形態に係るプリンタの斜視図である。
【図２】第１実施形態に係るプリンタを前後方向に切断したときの断面図である。
【図３】プリンタの左端部を左右方向に切断したときの断面図である。
【図４】第２実施形態に係るプリンタを前後方向に切断したときの断面図である。
【図５】第３実施形態に係るプリンタを前後方向に切断したときの断面図である。
【発明を実施するための形態】
【００１１】
以下では、本発明の実施の形態について、添付図面を参照しつつ詳細に説明する。
【００１２】
＜第１実施形態＞
図１に示されるプリンタ１は、画像形成装置の一例であって、インクジェット記録方式により画像を用紙などのシートＳに印刷するインクジェットプリンタである。
【００１３】
プリンタ１は、略直方体形状の筐体２を備えている。筐体２の底部には、給紙トレイ３が筐体２の一方側から抜き差し可能に設けられている。給紙トレイ３は、複数枚の用紙を積み重なった状態で支持可能に構成されている。
【００１４】
なお、以下の説明で使用するため、筐体２の一方側、つまり給紙トレイ３を筐体２から抜き出す側を「前側」とし、その反対側を「後側」と規定する。そして、プリンタ１を「前側」から見た状態を基準に左右を規定する。前後方向および左右方向の両方向と直交する方向が「上下方向」であり、「上側」および「下側」については、プリンタ１が水平面に設置された状態を基準とする。
【００１５】
筐体２内には、給紙トレイ３の収容位置の上方に、排紙トレイ４が設けられている。また、筐体２内には、図２に示されるように、搬送機構５および画像形成機構６（画像形成部の一例）が設けられている。
【００１６】
搬送機構５には、給紙ローラ１１および搬送ローラ１２などが含まれる。給紙ローラ１１の回転により、給紙トレイ３に収容されているシートＳが筐体２内に設けられている搬送路１３に送り出される。搬送路１３は、給紙ローラ１１の位置から後側に膨出しつつ上側に湾曲し、前方に直線状に延び、排紙トレイ４の後端上で開放されている。搬送路１３は、直線状に延びる部分で画像形成機構６を経由している。
【００１７】
画像形成機構６は、記録ヘッド２１およびプラテン２２を備えている。
【００１８】
記録ヘッド２１は、ヘッド面２３を下側に向けて、主走査方向である左右方向に往復動可能に設けられている。ヘッド面２３には、シアン（Ｃ）、マゼンダ（Ｍ）、イエロー（Ｙ）、ブラック（ＢＫ）の４色のインク滴が吐出されるように、各色に対応した複数のノズルの列が設けられる。同色のインク滴が吐出される複数のノズルは、前後方向である副走査方向に一列に並んで配置されている。
【００１９】
プラテン２２は、記録ヘッド２１の下方に配置され、記録ヘッド２１のヘッド面２３に対して上下方向に間隔を空けて対向している。プラテン２２は、前後方向の寸法よりも左右方向の寸法の方が長い略長方形の板状に形成されている。プラテン２２は、記録ヘッド２１からインクが噴射されるインク噴射領域において、シートＳを裏面側から支持する。
【００２０】
給紙トレイ３から搬送路１３に送り出されたシートＳは、搬送路１３を排紙トレイ４に向けて搬送される。そして、その搬送の途中、記録ヘッド２１とプラテン２２との間を通過する。記録ヘッド２１とプラテン２２との間をシートＳが副走査方向に搬送されながら、主走査方向に往復動する記録ヘッド２１からインクが噴射されることにより、シートＳに画像が形成される。画像が形成されたシートＳは、搬送路１３から排紙トレイ４上に排出される。
【００２１】
また、筐体２内には、プリンタ１の各部に電力を供給する電源部３１が設けられている。電源部３１は、図１に破線で示されるように、筐体２の底部の前側かつ左側に寄った位置、すなわち、給紙トレイ３の収容位置の左側の部分で前側に寄った位置に配置されている。電源部３１は、電源基板３２を備えている。電源基板３２は、図３に示されるように、電源部３１の底部に、前後方向および左右方向に延びるように配置されている。
【００２２】
給紙トレイ３の収容位置と電源部３１との間には、前後方向および上下方向に延びる側壁３３が設けられている。電源部３１の上方には、前後方向および左右方向に延びる上壁３４（隔壁の一例）が側壁３３の上端と筐体２の左側板３５との間に跨がって設けられている。また、電源部３１の後側には、左右方向および上下方向に延びる後壁３６が設けられている。これにより、電源部３１は、側壁３３、上壁３４、筐体２の左側板３５、後壁３６および筐体２の前側板３７に取り囲まれる電源収容空間３８内に収容されている。
【００２３】
電源部３１の上方には、支持壁４１（支持部の一例）が設けられている。支持壁４１は、上壁３４から上方に延出している。また、支持壁４１は、前後方向に延びている。支持壁４１と筐体２の左側板３５との間には、間隔が空けられている。支持壁４１の左側面４２には、プリンタ１の各部の動作を制御する制御基板４３が支持されている。これにより、制御基板４３は、電源部３１の上方において、支持壁４１と筐体２の左側板３５との間の基板収容空間４４に収容されて、上下方向および前後方向に延びている。
【００２４】
そして、支持壁４１内には、流路５１が空間として形成されている。上壁３４には、電源部３１に上下方向に対向する位置に、流路入口５２が形成されている。流路５１は、その一端が流路入口５２に接続されて、流路入口５２を介して電源部３１が収容される電源収容空間３８と連通している。また、支持壁４１の右側面には、図２および図３に示されるように、電源部３１の上方の位置であって、制御基板４３に対して左右方向に対向し、かつ、シートＳが排出される排紙トレイ４上の排出空間５３に臨む位置に、略矩形状の流路出口５４（開口の一例）が形成されている。流路５１は、その他端が流路出口５４に接続されて、流路出口５４を介して排出空間５３と連通している。これにより、流路５１は、電源収容空間３８から排出空間５３に至っており、電源収容空間３８と排出空間５３とを連通している。
【００２５】
＜作用効果＞
以上のように、プリンタ１には、電源部３１から排出空間５３に至る流路５１が形成されている。電源部３１の発熱による熱気は、流路５１を流路出口５４に向けて上昇する。そして、流路出口５４が排出空間５３に臨んでいるので、記録ヘッド２１の往復動による気流が発生すると、その気流により、流路５１から排出空間５３に熱気が引き込まれて、熱気が流路５１から排出空間５３に排出される。これにより、電源部３１からの放熱を促進させることができ、電源部３１に熱がこもることを抑制できる。
【００２６】
よって、制御基板４３が電源部３１に近づけて配置されても、電源部３１からの発熱が制御基板４３に悪影響を及ぼすことを抑制できる。しかも、流路５１が制御基板４３を支持する支持壁４１に形成されることにより、流路５１を設けながら、制御基板４３を電源部３１に近づけて配置することができ、制御基板４３と電源部３１とをスペース効率よく配置することができる。
【００２７】
制御基板４３は、上下方向に延びる姿勢で設けられている。そのため、電源部３１からの発熱により制御基板４３が収容される基板収容空間４４の空気が温まっても、その温まった空気が制御基板４３の表面上を通過して流れる。その結果、制御基板４３が熱を受けることを抑制でき、制御基板４３を熱から保護することができる。
【００２８】
また、電源部３１と制御基板４３との間に、電源部３１と制御基板４３とを上下方向に隔てる上壁３４が設けられている。この上壁３４により、電源部３１の発熱が基板収容空間４４内に伝播することを抑制でき、制御基板４３を熱から一層良好に保護することができる。
【００２９】
流路５１を排出空間５３に開放する流路出口５４は、制御基板４３に対して左右方向に対向する位置に形成されている。これにより、制御基板４３が発熱した場合に、その制御基板４３からの発熱を流路５１に流れる気流に乗せて効率よく排出することができる。
【００３０】
＜第２実施形態＞
流路出口５４の位置は、適宜に変更可能である。
【００３１】
たとえば、図４に示されるように、流路出口５４は、上下方向において、記録ヘッド２１とプラテン２２との間の位置よりも下側の位置に形成されていてもよい。
【００３２】
この位置に流路出口５４が形成されていても、前述した作用効果とほぼ同様の作用効果を奏することができる。しかも、図２に示される構成と比較して、流路出口５４が左右方向において記録ヘッド２１に近いので、記録ヘッド２１の往復動により発生する気流による流路５１からの熱気の引込み作用を強く発揮でき、電源部３１からの放熱のさらなる促進を期待することができる。
【００３３】
＜第３実施形態＞
また、図５に示されるように、流路出口５４は、上下方向において、記録ヘッド２１とプラテン２２との間の位置よりも上側の位置に形成されていてもよい。
【００３４】
この位置に流路出口５４が形成されていても、図２に示される構成とほぼ同様の作用効果を奏することができる。しかも、図２に示される構成と比較して、流路出口５４が上下方向において記録ヘッド２１に近いので、記録ヘッド２１の往復動により発生する気流による流路５１からの熱気の引込み作用を強く発揮でき、電源部３１からの放熱をさらに促進させることができる。
【００３５】
＜変形例＞
以上、本発明のいくつかの実施形態について説明したが、本発明は、他の形態で実施することもできる。
【００３６】
たとえば、前述の実施形態では、画像形成装置の一例としてプリンタ１を取り上げたが、本発明が適用される画像形成装置は、単機能のプリンタ１に限らず、画像形成機能および読取機能を有するファクシミリ装置や複合機であってもよい。
【００３７】
その他、前述の構成には、特許請求の範囲に記載された事項の範囲で種々の設計変更を施すことが可能である。
【符号の説明】
【００３８】
１：プリンタ
２：筐体
６：画像形成機構
２１：記録ヘッド
３１：電源部
３４：上壁
４３：制御基板
５１：流路
５３：排出空間
５４：流路出口
Ｓ：シート
【図１】
2020163750.tif 000003
【図２】
2020163750.tif 000004
【図３】
2020163750.tif 000005
【図４】
2020163750.tif 000006
【図５】
2020163750.tif 000007